(57)【要約】【課題】  ユーザが受信の可否を設定可能な電波受信機能付き携帯用小型潜水機器においてユーザの設定ミスのより、潜水中受信状態になり、正確な時刻情報等が得られず、重大な潜水障害を引き起こす事があった。【解決手段】  外部から発信される電波情報を取得する受信手段を有する電波受信機能付き潜水機器において、少なくとも、前記潜水機器が水に濡れたことを検出する水検知手段あるいは潜水による水圧の変化を検出する水圧検知手段とを有し、前記水検知手段によって前記潜水機器が水に濡れたことを検知するか、あるいは水圧検知手段が初期状態からの圧力変化を検知することで前記潜水機器による潜水動作を検知した場合は、前記受信機能による電波受信時間を短縮させるか、あるいは電波受信を禁止させることを特徴とする電波受信機能付き潜水機器。【選択図】      図１
2008241541.tif 000002
【特許請求の範囲】
【請求項１】
外部から発信される電波情報を取得する受信手段を有する電波受信機能付き潜水機器において、少なくとも、前記潜水機器が水に濡れたことを検出する水検知手段あるいは潜水による水圧の変化を検出する水圧検知手段とを有し、前記水検知手段によって前記潜水機器が水に濡れたことを検知するか、あるいは水圧検知手段が初期状態からの圧力変化を検知することで前記潜水機器による潜水動作を検知した場合は、前記受信機能による電波受信時間を短縮させるか、あるいは電波受信を禁止させることを特徴とする電波受信機能付き潜水機器。
【請求項２】
前記水圧検知手段による前記圧力が初期状態に回復したことを検知してから、あるいは、前記水検知手段が水に濡れたことをを検知しなくなってから一定時間は、前記受信手段による受信動作の禁止を継続することを特徴とする請求項１記載の電波受信機能付き潜水機器。
【請求項３】
前記潜水機器は、通常時刻、あるいはその他の表示を行う為の複数の指針と、前記指針を動作させる為の少なくとも１つ以上のステップモータを有することを特徴とする請求項１または請求項２記載の電波受信機能付き潜水機器。
【請求項４】
前記潜水機器は、通常時刻、あるいはその他の表示を行う為のデジタル表示部を有することを特徴とする請求項１または請求項２記載の電波受信機能付き潜水機器。
【発明の詳細な説明】
【技術分野】
【０００１】
本発明は、電波受信機能付き潜水機器において、ユーザである潜水者が潜水活動中であることを検出して機能動作を制御した潜水機器に関する。
【背景技術】
【０００２】
近年電波受信機能付き機器は、ユーザの要望により、多種多様な機能が搭載された製品が数多く現れている。但し、電波修正時計などにも見られるように、電波受信機能付き携帯機器は人間が携帯するため非常に小型であり、誤受信を防止するため、受信を開始した時点から、液晶等で構成されているデジタル表示部の一部あるいは、全部を停止するようにしている。又、システムとしてアナログ電子時計が搭載されている場合は、現在時刻表示を行うために指針駆動するモータを停止させている。
しかし、ダイバーにとって、現在時刻、潜水時刻あるいはその他の潜水情報は、安全に潜水を行うためには常に確認出来ることが必要であり、今までの電波受信機能付き機器の様に、現在の表示を一時的に停止することは出来ない。
以上から、その問題を解決するため、電波受信機能を搭載する場合、ユーザーがスイッチ等で、受信禁止を設定出来る様な仕様を設ける事で、潜水中に受信状態になって現在時刻等の表示が停止することを防止した。
【０００３】
このような電波受信機能付き携帯用小型潜水機器の一例として、電波修正機能付きダイバー時計を取り上げ、図２、３を用いて回路構成を説明する。図２は従来の電波修正機能付きダイバー時計であり、秒針駆動用モータと、時針、分針駆動用モータを用いた指針式の電子時計である。
【０００４】
各図において、１は発振部であり水晶発振器にて構成されており、発振信号ＸＫを出力する。２は分周回路であり、分周信号群ＳＫを出力する。３はモータ制御回路であり、該分周信号群ＳＫを入力し、時刻用モータパルスＭＰＡ及び時刻用モータ運針終了信号ＨＲＡを出力する。又、該モータ制御回路３は、受信表示用モータパルスＭＰＢ及び受信表示用モータ運針終了信号ＨＲＢを出力する。４は時計表示部であり、該時刻用モータパルスＭＰＡ、及び受信表示用モータパルスＭＰＢを入力し、時計表示及び受信可否表示を行う。
【０００５】
４０はマイクロコンピュータであり、前記発振部１からの発振信号ＸＫを入力し、システムクロックとして動作を行う。続いて該マイクロコンピュータ４０の各ポートの説明をする。ＯＰ１は出力ポートであり、時刻用モータ運針許可信号ＵＳＡを出力する。ＩＰ１は入力ポートであり、前記時刻用モータ運針終了信号ＨＲＡを入力する。ＯＰ２は出力ポートであり、受信用モータ運針許可信号ＵＳＢを出力する。ＩＰ２は入力ポートであり、前記受信表示用モータ運針終了信号ＨＲＢを入力する。
ＯＰ３は出力ポートであり、後述する受信回路５１の受信許可信号ＲＸＥを出力する。ＩＰ３は入力ポートであり、後述する受信回路５１の受信データＲＸＤを入力する。ＩＰ１０は入力ポートであり、後述する第１のスイッチ６０に接続されている。ＩＰ２０は入力ポートであり、後述第２のスイッチ７０に接続されている。
【０００６】
５０はアンテナであり、外部からの送信電波を受信し、受信信号ＲＸＡを出力する。５１は受信した電波を復調するための受信回路であり、該受信信号ＲＸＡを入力し、受信データＲＸＤを出力する。６０は第１のスイッチであり、片側は抵抗を介し電源のＶＳＳレベルに接続され、もう片側はＶＤＤレベルに接続されている。７０は第２のスイッチであり、片側は、抵抗を介し電源のＶＳＳレベルに接続され、もう片側はＶＤＤレベルに接続
されている。
【０００７】
次に、図３の説明をする。図３は、前記時計表示部４の詳細図であり、４Ａは秒針、４Ｂは分針、４Ｃは時針であり、それぞれ機械的に連動しており、前記時刻用モータパルスＭＰＡにて駆動する図示しないモータによって現在時刻表示を行う。４Ｄは受信表示針であり、前記受信表示用モータパルスＭＰＢを入力して駆動する図示しないモータによって、受信が許可状態であるか、あるいは、禁止状態であるかを表示する。前記時計表示部４の文字板に描かれているＲＸＯＮは受信許可指示位置であり、受信許可状態の場合、該受信表示針４ＤはＲＸＯＮを示す。ＲＸＯＦＦは受信禁止指示位置であり、受信禁止状態の場合、該受信表示針４ＤはＲＸＯＦＦを示す。以上が、従来の電波修正機能付きダイバー時計の構成である。
【０００８】
続いて、従来の電波修正機能付きダイバー時計の動作説明を図２、３を用いて行う。まず通常時計状態の説明をする。マイクロコンピュータ４０は、１秒毎に出力ポートＯＰ１から時刻用モータ運針許可信号ＵＳＡを出力する。モータ制御回路３は、時刻用モータ運針許可信号ＵＳＡを入力すると、分周信号群ＳＫに基づき、時刻用モータパルスＭＰＡを出力し、秒針４Ａは１秒毎に運針を行う。その後モータ制御回路３は、時刻用モータパルスＭＰＡの出力が終了し、時刻用モータ運針終了信号ＨＲＡを出力することで、割り込み動作が発生し、マイクロコンピュータ４０は、時刻用モータ運針許可信号ＵＳＡを停止する。同時にモータ制御回路３は、時刻用モータ運針終了信号ＨＲＡを停止する。秒針４Ａは１秒毎に運針を行う事で、機械的に連動している分針４Ｂ、時針４Ｃも動作し、通常時刻表示を行う。マイクロコンピュータ４０は、秒針４Ａの運針を制御するとともに、内部メモリに計時時間と指針針位置の関係も保つように管理を行っている。ところで通常時刻表示状態では、受信表示針４Ｄは、受信許可指示位置ＲＸＯＮを示している。
【０００９】
次に、外部から送信された標準時刻情報に基づき内部時計の修正を行うとともに、時計表示部４における、秒針４Ａ、分針４Ｂ、時針４Ｃの修正動作を説明する。標準時刻情報を受信するタイミングは２種類あり、定時刻に行う定時受信動作と、ユーザが任意に行う強制受信動作がある。まず、定時受信動作について説明する。
定時受信動作は、比較的受信状態が良いと考えられる午前２時に行われる。マイクロコンピュータ４０は、内部計時時間が午前２時になると、今まで１秒ごとに行っていた時刻用モータ運針許可信号ＵＳＡの出力を停止するとともに、出力ポートＯＰ３から受信許可信号ＲＸＥを出力する。受信回路５１は受信信号ＲＸＡの入力を開始し、受信した電波に基づいて受信データＲＸＤを出力する。マイクロコンピュータ４０は、受信データＲＸＤを基に、正確な時刻を算出するとともに、時刻の算出が終了すると、算出した時刻に基づいて内部計時時間の修正をする。又、秒針４Ａの運針を停止していた事から、現在時刻表示に復帰させるため、時刻用モータ運針許可信号ＵＳＡを連続的に出力する。その結果秒針４Ａは高速運針にて現在時刻に復帰する。復帰後は、通常時刻表示状態での動作である１秒毎に秒針４Ａの運針を行う。
【００１０】
次に、ユーザが任意に行う強制受信動作の説明をする。スイッチ６０がＯＮして入力ポートＩＰ１０が一定時間“Ｈ”レベルになると、マイクロコンピュータ４０は、今まで１秒ごとに行っていた時刻用モータ運針許可信号ＵＳＡを停止するとともに、出力ポートＯＰ３から受信許可信号ＲＸＥを出力する。受信回路５１は、受信信号ＲＸＡの入力を開始し、受信した電波に基づいて受信データＲＸＤを出力する。マイクロコンピュータ４０は、受信データＲＸＤを基に、正確な時刻を算出するとともに、時刻の算出が終了すると、算出した時刻に基づいて内部計時の時間を修正する。又、秒針４Ａの運針を停止していた事から、現在時刻表示に復帰させるため、時刻用モータ運針許可信号ＵＳＡを連続的に出力する。その結果秒針４Ａは高速運針にて現在時刻に復帰する。復帰後は、通常時刻表示状態での動作である１秒毎に秒針４Ａの運針を行う。以上が標準時刻情報に基づき内部時
計及び各指針位置の修正を行う動作である。
【００１１】
さて、強制的に受信を禁止する動作について説明する。スイッチ７０がＯＮして入力ポートＩＰ２０が一定時間“Ｈ”レベルになり、且つその後スイッチ６０がＯＮして入力ポートＩＰ１０が一定時間“Ｈ”レベルになると、マイクロコンピュータ４０は、内部のメモリに受信禁止フラッグを書き込む。又マイクロコンピュータ４０は、出力ポートＯＰ２から受信用モータ運針許可信号ＵＳＢを出力すると、モータ制御回路３は受信表示用モータパルスＭＰＢを出力することで、受信表示針４Ｄは運針する。モータ制御回路３は、受信表示用モータパルスＭＰＢの出力終了後、受信表示用モータ運針終了信号ＨＲＢを出力することで、マイクロコンピュータ４０は、受信用モータ運針許可信号ＵＳＢを停止する。よってモータ制御回路３は、受信表示用モータ運針終了信号ＨＲＢを停止する。前記動作を繰り返すことで、受信表示針４Ｄは、高速運針状態で時計表示部４に描かれている受信許可指示位置ＲＸＯＮから受信禁止指示位置ＲＸＯＦＦへ移動する。
【００１２】
その後、マイクロコンピュータ４０は、内部のメモリに受信禁止フラッグがあるため、時刻が午前２時に至っても、定受信動作は行わないし、スイッチ６０がＯＮして入力ポートＩＰ１０が一定時間“Ｈ”レベルになっても、強制受信は行わない。
【００１３】
受信禁止の解除は、次の通りである。スイッチ７０がＯＮして入力ポートＩＰ２０が一定時間“Ｈレベルになり、且つその後スイッチ６０がＯＮして入力ポートＩＰ１０が一定時間“Ｈ”レベルになると、マイクロコンピュータ４０は、内部のメモリに記録した受信禁止フラッグを消去する。又マイクロコンピュータ４０は、出力ポートＯＰ２から受信用モータ運針許可信号ＵＳＢを出力し、モータ制御回路３は受信表示用モータパルスＭＰＢを出力することで、受信表示針４Ｄは運針する。モータ制御回路３は、受信表示用モータパルスＭＰＢの出力終了後、受信表示用モータ運針終了信号ＨＲＢを出力することで、マイクロコンピュータ４０は、受信用モータ運針許可信号ＵＳＢを停止する。よってモータ制御回路３は、受信表示用モータ運針終了信号ＨＲＢを停止する。前記動作を繰り返すことで、受信表示針４Ｄは、高速運針状態で時計表示部４に描かれている受信禁止指示位置ＲＸＯＦＦから受信許可指示位置ＲＸＯＮへ移動する。以上が従来における電波修正機能付きダイバー時計の動作説明である。
【００１４】
また上述した従来技術とは別に、水深計測機能と電波受信機能を有する電子時計が特許文献１に記載されている。この特許文献１では、潜水活動中にアラームなどの重負荷が動作する場合は、一時的に照明の点灯動作や電波受信動作を禁止させるように制御することが記載されている。
【特許文献１】特開２００６−２１４９８１号公報（段落００２８、００４０〜００４３、図５）
【発明の開示】
【発明が解決しようとする課題】
【００１５】
しかしながら、従来における電波受信機能付き潜水機器では重大な問題を持っていた。（１）経験の少ないダイバーの場合
特に経験の少ないダイバーは、潜水前の準備が不慣れな為、充分に注意が回らず、受信禁止を設定せずに、そのまま潜水を行ってしまう。
（２）ダイバー指導員の場合
同行している潜水者の指導に追われ、指導員自身が受信禁止に設定せずに、そのまま潜水を行ってしまう。
（３）緊急事態の場合
人命救助等で一刻を争う緊急事態では、受信禁止を設定せずに、そのまま潜水を行ってしまう。
以上のケースから、ユーザーがダイバー時計を受信禁止状態に設定せず潜水を行うことで、潜水中に受信状態になり、正確な時刻情報等が得られず、安全潜水の対処が出来ないあるいは不十分な為、重大な潜水障害を引き起こす事があった。
【００１６】
又、電波修正機能付きダイバー時計においては、スイッチ操作にて受信の許可、禁止の設定が出来るものは、ダイバーが潜水中、無意識のうちに簡単に設定変更されない様に、竜頭が首引き状態で設定変更出来るような複雑な仕様になっており、ダイバーが潜水直前に受信禁止に設定していないことに気が付き、あわてて水に濡れたまま操作したり、あるいは竜頭の首引き状態から充分通常位置に戻さずそのまま潜水することで、時計内部に水が浸入し、機能にダメージを受けるケースがあった。
【００１７】
また特許文献１の時計では、潜水活動中にアラームなどの重負荷が動作する場合は、一時的に照明の点灯動作や電波受信動作を禁止させるように制御することで、重負荷が複数動作して電池電圧が急激に低下するのを防止しているが、その制御は一時的なものなので、上記のような問題点を解決するには至らなかった。
【００１８】
上記で説明したように、携帯用小型潜水機器に電波受信機能を搭載し、ユーザの操作により、受信の可否の設定させることは、ユーザの負担になるばかりか、多くの問題があることは明らかである。そのことから、ユーザの操作に頼ることなく、安全な電波受信機能付き携帯用小型潜水機器を提供する必要があった。
【課題を解決するための手段】
【００１９】
上記課題を解決するために、本発明の電波受信機能付き携帯用小型潜水機器は下記記載の構成を採用する。
【００２０】
外部から発信される電波情報を取得する受信手段を有する電波受信機能付き潜水機器において、少なくとも、前記潜水機器が水に濡れたことを検出する水検知手段あるいは潜水による水圧の変化を検出する水圧検知手段とを有し、前記水検知手段によって前記潜水機器が水に濡れたことを検知するか、あるいは水圧検知手段が初期状態からの圧力変化を検知することで前記潜水機器による潜水動作を検知した場合は、前記受信機能による電波受信時間を短縮させるか、あるいは電波受信を禁止させることを特徴とする。
【００２１】
また、前記水圧検知手段による前記圧力が初期状態に回復したことを検知してから、あるいは、前記水検知手段が水に濡れたことをを検知しなくなってから一定時間は、前記受信手段による受信動作の禁止を継続することを特徴とする。
【００２２】
また、前記潜水機器は、通常時刻、あるいはその他の表示を行う為の複数の指針と、前記指針を動作させる為の少なくとも１つ以上のステップモータを有することを特徴とする。
【００２３】
また、前記潜水機器は、通常時刻、あるいはその他の表示を行う為のデジタル表示部を有することを特徴とする。
【発明の効果】
【００２４】
この発明を実施する事により、電波受信機能付き潜水機器自体が、ダイバーのおかれている環境を判断し、電波受信の可否を決定するため、潜水中受信状態に移行して、ダイバーが時間経過などの潜水情報を確認できない様な危険な状況は発生しない。又、電波受信の可否を決定するための操作をする必要が無いため、初心者でも安心して使用できるし、機器の内部に水が浸入し機能にダメージを合えることも無い。
【発明を実施するための最良の形態】
【００２５】
図面に基づいて本発明の最良の実施形態を説明する。
【実施例１】
【００２６】
本実施例は電波受信機能付き潜水機器の一例として、電波修正機能付きダイバー時計を取り上げ、図１を用いて回路構成を説明する。図１は本発明の電波修正機能付きダイバー時計であり、秒針駆動用モータと、時分針を動作させる駆動用モータを用いた指針式の電子時計である。
【００２７】
続いて実施例の構成を説明する。但し、本実施例を説明において、従来例と同一の素子及び信号に関しては、従来例と同一番号、同一記号を用い、その説明を省略する。
５は圧力センサであり、外部からの圧力が加わると、圧力電圧ＰＶを発生する。６はＡ／Ｄ変換機であり、該圧力電圧ＰＶを入力し、圧力データＰＤを出力する。７は水感知センサであり、電子時計が水に濡れたことを感知すると水感知信号ＳＳを出力する。
【００２８】
次に、マイクロコンピュータ４０のポートについて説明する。ＯＰ４は出力ポートであり、Ａ／Ｄ変換許可信号ＰＥを出力する。ＩＰ４は入力ポートであり、前記Ａ／Ｄ変換機６からの圧力データＰＤを入力する。ＯＰ５は出力ポートであり、水感知許可信号ＳＥを出力する。ＩＰ５は入力ポートであり、前記水感知センサ７からの水感知信号ＳＳを入力する。ＯＰ３０は出力ポートであり、ＬＣＤ制御信号ＬＥを出力する。ＯＰ４０は出力ポートであり、ＬＣＤデータＬＤを出力する。８０はＬＣＤ駆動回路であり、該ＬＣＤ制御信号ＬＥ及びＬＣＤデータＬＤを入力し、表示データＬＣを出力する。８１はＬＣＤ表示部であり、該表示データＬＣを入力し、所望の情報表示を行う。以上が実施例の構成である。
【００２９】
次に、本実施例の動作を図１、及び図３を用いて説明をする。まず水感知も、圧力を検出されない、通常状態を説明する。なお、電子時計の表示は従来と同じなので、ここでも図３を用いて説明する。マイクロコンピュータ４０は、内部で計時した１秒信号に基づいて、出力ポートＯＰ４からＡ／Ｄ変換許可信号ＰＥを定期的に出力し、入力ポートＩＰ４から圧力データＰＤを取得するが、潜水活動をしていない状態では水圧値の変化は検出されない。又、出力ポートＯＰ５から水感知許可信号ＳＥを定期的に出力するが、入力ポートＩＰ５にて水感知信号ＳＳも検出されない。よってマイクロコンユータ４０は、従来例と同様に、秒針４Ａを１秒毎に運針する。又、前述の状態においては、定時受信時間である午前２時に至った場合、あるいは強制受信であるスイッチ６０がＯＮして入力ポートＩＰ１０が一定時間“Ｈ”レベルになった場合、マイクロコンピュータ４０は、今まで１秒ごとに行っていた時刻用モータ運針許可信号ＵＳＡを停止するとともに、出力ポートＯＰ３から受信許可信号ＲＸＥを出力する。受信回路５１は受信信号ＲＸＡの入力を開始し、受信した電波に基づいて受信データＲＸＤを出力する。マイクロコンピュータ４０は、受信データＲＸＤを基に、正確な時刻を算出するとともに、時刻の算出が終了すると、算出した時刻に基づいて内部計時の時間を修正する。又、秒針４Ａの運針を停止していた事から、現在時刻表示に復帰させるため、時刻用モータ運針許可信号ＵＳＡを連続的に出力する。その結果秒針４Ａは高速運針にて現在時刻に復帰する。復帰後は、通常時刻表示状態での動作である１秒毎に秒針４Ａの運針を行う。以上が、水感知も、圧力も検出されない通常状態の場合である。
【００３０】
次にダイバーが潜水動作を行うことで、水感知し、その後圧力を検出した場合について説明する。
電子時計を携帯した状態で潜水活動を開始して水面に待機している場合、電子時計は水に濡れるので、マイクロコンピュータ４０は出力ポートＯＰ５から水感知許可信号ＳＥを出力すると、入力ポートＩＰ５にて水感知信号ＳＳが検出され、内部のメモリに受信禁止
フラッグを書き込む。この時点でマイクロコンピュータ４０はＡ／Ｄ変換許可信号ＰＥを出力しても、未だ圧力センサ５は、圧力電圧ＰＶを出力していないため、Ａ／Ｄ変換機６は、入力ポートＩＰ４に非加圧状態である圧力データＰＤを出力する。よってマイクロコンピュータ４０は、非加圧状態である圧力データＰＤに基づきＯＰ３０からＬＣＤ制御信号ＬＥを出力し、ＬＣＤデータＬＤとして“０”値を排出する。よってＬＣＤ駆動回路８０は表示データＬＣを発生し、ＬＣＤ表示部８１には“０ｍ”という文字が表示される。
【００３１】
又マイクロコンピュータ４０が出力ポートＯＰ２から受信用モータ運針許可信号ＵＳＢを出力すると、モータ制御回路３は受信表示用モータパルスＭＰＢを出力することで、受信表示針４Ｄを運針する。モータ制御回路３は、受信表示用モータパルスＭＰＢの出力終了後、受信表示用モータ運針終了信号ＨＲＢを出力することで、マイクロコンピュータ４０は、受信用モータ運針許可信号ＵＳＢを停止する。よってモータ制御回路３は、受信表示用モータ運針終了信号ＨＲＢを停止する。前記動作を繰り返すことで、受信表示針４Ｄは、高速運針状態で時計表示部４に描かれている受信許可指示位置ＲＸＯＮから受信禁止指示位置ＲＸＯＦＦへ移動する。その後、マイクロコンピュータ４０は、定受信時刻である午前２時に至っても、内部のメモリの受信禁止フラッグが立っているため、受信動作を行わない。つまり、通常の１秒運振動を継続する。
【００３２】
その後、ダイバーが海等に潜水を行うと、圧力センサ５は、圧力電圧ＰＶを発生する。よってマイクロコンピュータ４０が、Ａ／Ｄ変換許可信号ＰＥを出力すると、Ａ／Ｄ変換機６は、加圧された圧力データＰＤを出力する。つまり、圧力センサ５は潜水による水圧の変化を検出し、圧力センサ５が初期状態からの圧力変化を検知する。マイクロコンピュータ４０は、入力ポートＩＰ４に発生した圧力データＰＤに基づき水深値の表示を行うためＯＰ３０からＬＣＤ制御信号ＬＥを出力し、続けてＬＣＤデータＬＤとして水深値データを発生する。よってＬＣＤ駆動回路８０は表示データＬＣを発生し、ＬＣＤ表示部８１には例えば“１０ｍ”という文字が表示される。
その後、ダイバーが潜水中、無意識のうちにスイッチ６０がＯＮしてＩＰ１０が一定時間“Ｈ”レベルになった場合でも、マイクロコンピュータ４０は、既に内部のメモリには受信禁止フラッグが立っているため、強制受信は行わない。
【００３３】
次にダイバーが潜水動作を終了し、その後“圧力”及び“水ぬれ”の両方を検出しなくなっても、この電子時計は一定期間非受信状態を継続し、その後通常状態に移行する動作を説明する。
本動作の説明に入る前に、本件に纏わるダイビングの安全潜水の規定に関し説明する。ダイバーが潜水するケースは、連続的に数回に渡り潜水する事があり、その場合前回の潜水と次回の潜水までの休憩時間（水面休息時間）が定められた時間より短い場合、前回の潜水と次回潜水を同一の１本の潜水と規定し、休憩時間（水面休息時間）が定められた時間より長い場合は前回の潜水を１本目の潜水、次回の潜水を２本目の潜水と規定している。
前記休憩時間（水面休息時間）は、非常に細かな時間が規定されておりダイバーは留意する必要がある。又研究機関や各国の基準も異なるため一旦本説明では、ＵＳ．ＮＡＶＹ．ＤＩＶＩＮＧ  ＭＡＮＵＡＬを一例として、休憩時間（水面休息時間）は、１０分の場合で説明をする。
【００３４】
ダイバーが海等から退水すると、圧力センサ５は、圧力電圧ＰＶを停止する。よってマイクロコンピュータ４０が、Ａ／Ｄ変換許可信号ＰＥを出力すると、Ａ／Ｄ変換機６は、入力ポートＩＰ４に非加圧状態（大気圧）である圧力データＰＤを出力する。  マイクロコンピュータ４０は、非加圧状態である圧力データＰＤに基づき出力ポートＯＰ３０からＬＣＤ制御信号ＬＥを出力すると共に、ＬＣＤデータＬＤとして“０”値を発生する。よってＬＣＤ駆動回路８０は表示データＬＣを発生し、ＬＣＤ表示部８１には“０ｍ”とい
う文字が表示される。又その後、水感知センサ７も乾いた状態になるため、マイクロコンピュータ４０が出力ポートＯＰ５から水感知許可信号を出力するが、入力ポートＩＰ５にて水感知信号ＳＳも検出されない。
しかし、ダイバーが海等から退水してから休憩時間（水面休息時間）１０分経過していない場合、つまりマイクロコンピュータ４０が非加圧状態である圧力データＰＤを検出してから１０分経過していないときは、その間に、定時受信時刻の午前２時になってもマイクロコンピュータ４０は、内部のメモリの受信禁止フラッグが立っているため、定時受信は行わないし、又スイッチ６０がＯＮして入力ポートＩＰ１０が一定時間“Ｈ”レベルになった場合でも強制受信は行わない。よって、受信表示針４Ｄも、受信禁止指示位置ＲＸＯＦＦを表示したままでいる。つまり、圧力センサ５による検出圧力が初期状態に回復したことを検知してから、あるいは、水感知センサ７が水に濡れたことをを検知しなくなってから一定時間は、受信手段による受信動作の禁止を継続するようになっている。
【００３５】
その後、ダイバーが海等から退水してから休憩時間（水面休息時間）１０分経過すると、つまりマイクロコンピュータ４０は、この状態が１０分経過したことを検出すると、内部のメモリ受信禁止フラッグを消去する。同時に出力ポートＯＰ２から受信用モータ運針許可信号ＵＳＢを発生するため、モータ制御回路３は受信表示用モータパルスＭＰＢを出力する。よって受信表示針４Ｄは運針する。モータ制御回路３は、受信表示用モータパルスＭＰＢの出力終了後、受信表示用モータ運針終了信号ＨＲＢを出力することで、マイクロコンピュータ４０は、受信用モータ運針許可信号ＵＳＢを停止する。よってモータ制御回路３は、受信表示用モータ運針終了信号ＨＲＢを停止する。前記動作を繰り返すことで、受信表示針４Ｄは、高速運針状態で時計表示部４に描かれている受信禁止指示位置ＲＸＯＦＦから受信許可指示位置ＲＸＯＮへ移動する。復帰後は、通常時刻表示状態での動作である１秒毎に秒針４Ａの運針を行う。以上が、本実施例の説明である。
【００３６】
本実施例において、非受信状態の継続をダイバーの潜水終了後の休憩時間（水面休息時間）として説明したが、更にダイバーの安全を考慮し、非受信状態の継続を規定された休憩時間（水面休息時間）より長く設定しても良いし、あるいは、潜水後にダイバーが航空機搭乗可能時間までの延長、つまりダイバーが潜水後、通常大気圧より更に低圧環境に移動することが可能な時間まで延長してもかまわない。
【００３７】
本実施例において、定時受信動作は、標準時刻電波受信の最も良好な時間として受信午前２時と説明してきたが、本発明はそれに限定されるものではなく、他の時間でも複数回受信を行ってもかまわないし、ユーザーが定時受信時間を任意に設定できる仕様にしてもかまわない。
【００３８】
本実施例において、非受信状態は全停止した形で説明したが、時計表示あるいは潜水情報を表示する時に影響ない範囲で、受信時間を短縮した形の仕様にしてもかまわない。
【００３９】
以上の説明で明らかなように、電波受信機能を搭載することで、外部からの送信情報に基づき、正確な時刻情報等の入手が出来るとともに、ダイバーがまったく意識しなくとも安全に潜水ができる電波受信機能付き潜水機器が提供出来る。
【図面の簡単な説明】
【００４０】
【図１】本発明における実施形態の電波受信機能付き携帯用小型潜水機器システム構成図である。
【図２】従来の電波受信機能付き携帯用小型潜水機器システム構成図である。
【図３】電波受信機能付き時計の時計表示部を示す平面図である。
【符号の説明】
【００４１】
４０    マイクロコンピュータ
５０    アンテナ
５１    受信回路
５    圧力センサ
６    Ａ／Ｄ変換機
７    水感知センサ
【図１】
2008241541.tif 000003
【図２】
2008241541.tif 000004
【図３】
2008241541.tif 000005